(57)【要約】 【課題】  必要に応じて容易に着せ替えることが可能なバッククロス型着せ替えよだれ掛けを提供すること。  【解決手段】本考案のバッククロス型着せ替えよだれ掛けＳは、一対のたすき部Tを前掛け部Fに備え、該たすき部Tにはループ片２を1本若しくは複数本取り付けて成るバッククロス型よだれ掛け本体１と、前記一対のたすき部先端にそれぞれ備えた第１の係止手段３ａ，４ａと、前記前掛け部Ｆに備えた第２の係止手段３ｂとを有し、第１の係止手段３ａ，４ａと第２の係止手段３ｂとを前記たすき部Ｔがクロスするように係合させてバッククロス型の首掛け部Ｎを形成するとともに、前記よだれ掛け本体１のループ片２に、よだれや飲みこぼし用となる替え布８を差し込み使用できるようにした。このため、よだれで濡れる度に新しいよだれ掛けと交換しなくても、ガーゼやハンカチなどの替え布部分のみを取り替え得るため、よだれ掛け一つあれば、複数枚用意する必要がなく、経済的である。【選択図】図６
0003135617.tif 000002
【実用新案登録請求の範囲】
【請求項１】
一対のたすき部を前掛け部に備え、該たすき部にはループ片を1本若しくは複数本取り付けて成るバッククロス型よだけ掛け本体と、前記一対のたすき部先端にそれぞれ備えた第１の係止手段と、前記前掛け部に備えた第２の係止手段とを有し、第１の係止手段と第２の係止手段とを前記たすき部がクロスするように係合させてバッククロス型の首掛け部を形成するとともに、前記よだれ掛け本体のループ片に、よだれや飲みこぼし用となる替え布を差し込み使用することを特徴とするバッククロス型着せ替えよだれ掛け。
【請求項２】
前記よだれや飲みこぼし用となる替え布に代え、前記ループ片に差し込まれる一対
の取り付け部と、該取り付け部に設けた係止手段と有する食事専用のエプロンを付加
したことを特徴とする請求項１に記載のバッククロス型着せ替えよだれ掛け。
【請求項３】
前記食事専用エプロンには、食べこぼしを捕捉できるポケットを備えたことを特徴
する請求項２に記載のバッククロス型着せ替えよだれ掛け。
【請求項４】
前記前掛け部に備えた第２の係止手段は、該前掛け部の下部に設けてあることを
特徴とする請求項１に記載のバッククロス型着せ替えよだれ掛け。
【考案の詳細な説明】
【技術分野】
【０００１】
本考案は、主として乳幼児に着用するよだれ掛けに関するものである。
【背景技術】
【０００２】
乳幼児の期間においては、口から常によだれを流しており、またミルクやスプーン、ストロー飲みの時に飲みこぼす事が多い。そのため、一般的に衣類を汚さないようによだれ掛けが着用される。
又、食事の度に、食べこぼしをキャッチ出来るポケットの付いた防水効果のあるナイロン等で構成された乳児専用の食事エプロンも着用されている。
【０００３】
一日のうちに、食事用エプロンやよだれ掛けを何枚も取り替える必要があり、動く乳幼児に着用させるのはとても手間がかかり、不便であった。
又、よだれ掛けは装着した一面（主に胸元）が汚れてしまえば他のものと取り替える必要があるが、小さいよだれ掛けだと洋服までよだれが染みる恐れがあり、一方、大きいよだれ掛けだと汚れない範囲も広いが衛生上、洗濯せざるを得なく、その分不経済であった。
【０００４】
現在主流となっている首の後ろで留めるタイプのよだれ掛けは、くるくる回ってしまったり、ホックや面状テープのゴワゴワにより乳幼児の皮膚が擦れて赤くなったり、あせもになるなどの悩みがあった。
従来のバッククロス型よだれ掛けは、後ろが大きく開いてクロスしているので、首周りを締め付けず、乳幼児の体にフィットし、ずれ難く、かつ取り外しやすく便利だが、乳幼児の腹部までの長さのものが多い。このため、バックのたすき部分を含め汚れない範囲が通常のよだれ掛けに比べ、非常に広く、洗濯の際に不経済であるとともに、それだけ生地も広い面積を必要とし、高価となるという問題もあった。
【０００５】
この種のよだれ掛けとして、例えば、実開昭５５−１５１８１１号、実開昭５６−１３４３０２号、実開昭６３−１８３２１２号、実開平１−３０３０５号がある。これらの公報には、着用したまま、汚れた部分だけを取り替えられるように、首掛け紐を有するよだれ掛け本体と、その前面に着用可能に当てられる取り替え用のアタッチメントから成るよだれ掛けが提案されている。
【考案の開示】
【考案が解決しようとする課題】
【０００６】
上記のような従来のよだれ掛けによれば、よだれ掛け本体を常時着用させておいてもアタッチメントだけを取り替えることにより、着衣の汚れ防止とよだれ掛けの衛生状態の保持とをなし得る。しかしながら、よだれ掛け本体とアタッチメントをホックや面状テープなどの係止部材により、よだれ掛けの前面上部左右に固着させるものであり、面状テープなどの係止部材は、固着部分が固く分厚い為、乳幼児は首が短いので頬や顎が常に当たっており、皮膚が擦れて赤くなったり、ホックなどの係止部材は金属による皮膚のアレルギーが起こるなど肌の弱い乳幼児には、よだれ掛けとアタッチメントを固着させる方法が問題だった。
又、首掛け紐により首に直接巻きつけることで引っ張りによる事故などの問題もあった。
【０００７】
この考案は、上記のような実情に鑑みて、バッククロス型着せ替えよだれ掛けにすることで、最も汚れやすい部分のみを取り替え得るようにしたものである。このため、生地の経済的な使用に適し、また安全に着用できるばかりでなく、乳幼児に対するよだれ掛けの交換による負担や、洗濯の手間を省き、食事の際にはよだれ掛け本体を外すことなく、よだれ掛けから食事専用のエプロンに変わるなど、必要に応じて容易に着せ掛けることが可能なバッククロス型着せ替えよだれ掛けを提供することを目的とするものである。
【課題を解決するための手段】
【０００８】
上記の目的を達成する為に、請求項１に記載の考案は、一対のたすき部を前掛け部に備え、該たすき部にはループ片を1本若しくは複数本取り付けて成るバッククロス型よだけ掛け本体と、前記一対のたすき部先端にそれぞれ備えた第１の係止手段と、前記前掛け部に備えた第２の係止手段とを有し、第１の係止手段と第２の係止手段とを前記たすき部がクロスするように係合させてバッククロス型の首掛け部を形成するとともに、前記よだれ掛け本体のループ片に、よだれや飲みこぼし用となる替え布を差し込み使用することを特徴とするものである。
【０００９】
請求項２に記載の考案は、よだれや飲みこぼし用となる前記替え布に代え、ループ片に差し込まれる一対の取り付け部と、該取り付け部に設けた係止手段と有する食事専用のエプロンを付加したことを特徴とする。
【００１０】
請求項３に記載の考案は、前記食事専用エプロンには、食べこぼしを捕捉できるポケットを備えたことを特徴する。
【００１１】
請求項４に記載の考案は、前記前掛け部に備えた第２の係止手段は、該前掛け部の下部に設けてあることを特徴とする。
【考案の効果】
【００１２】
本考案のバッククロス型着せ替えよだれ掛けを上記のように構成したので、概略以下のような効果を奏する。
（１）よだれで濡れる度に新しいよだれ掛けと交換しなくても、ガーゼやハンカチなどの替え布部分のみを取り替え得るため、本考案のよだれ掛け一つあれば、複数枚用意する必要がなく、経済的である。
（２）ミルクやスプーン、ストロー飲みの時などの飲みこぼしをキャッチし、口も拭けて汚れたらサッと取り替えられて衛生的である。
（３）替え布を利用することで、よだれ掛け本体を汚すことなく洗濯などによる生地の消耗を防ぎ、長期間の使用が可能となった。
（４）乳幼児がミルクや食べ物を吐き戻した場合でも、本体そのものがよだれ掛けなので、衣服まで汚れずに済む為、衣服を着替えさせる必要がない。
（５）食事の際には衣服への汚れを軽減するため、別途乳児用エプロンを用意する必要があったが、本考案のバッククロス型よだれか掛けのループ片に食事用替えエプロンを差し込みホックで留めることにより、食事の際にはよだれ掛け本体を外すことなく、よだれ掛けから食事専用のエプロンに変わるなど、乳幼児に対する交換による負担の軽減などこのよだれ掛けの用途は幅広い。
（６）常に活発に動く乳幼児であっても、よだれ掛けがずれることがなく、乳幼児の腹部まですっぽり隠れる位たっぷりサイズの大きなバッククロス型よだれ掛けを使用できるようになり、乳幼児をお腹の冷えから守る腹巻等の別の機能を持たせる事もできる。
（７）本考案のよだれ掛け一つあれば、バッククロス型のよだれ掛け本体を常時ベスト感覚で着用せておいて、最も汚れやすい替え布部分のみを取り替え得るようにしたので、よだれ掛け本体を汚すことなく洗濯の手間も省け、複数枚用意する必要もなく衛生的かつ経済的である。
（８）キッチンペーパーなどを利用すれば、使い捨てもできるため、外出時の荷物の軽減にもなる。
【考案を実施するための最良の形態】
【００１３】
バッククロス型よだれ掛け仕様にしたもののバックのたすき上部にループ片を1本もしくは複数本取り付けた形のものとする。
又、食事用替えエプロンには、食べこぼしを捕捉出来るポケットを表裏に備え、リバーシブルで使用する形のものとする。
【実施例】
【００１４】
以下、この考案の実施例を図面に基づいて説明する。
【００１５】
図１は、本考案のバッククロス型よだれ掛け仕様にしたものの平面図である。
図において、Ｓはバッククロス型着せ替えよだれ掛けの全体を示し、１は、その本体である。この本体１の上部にはバッククロス型の一対のたすき部Ｔと前掛け部Fが連設されている。このたすき部Ｔと前掛け部Ｆにより、首掛け部Ｎが形成される。    
前記たすき部Ｔの下部近傍には、後述する替え布又は食事用エプロンを取り付けるための一対のループ片２，２が設けてある。
なお、この実施例ではループ片２，２を一対としたが、このループ片２は少なくとも１つあれば良い。
又、たすき部Ｔの先端には、ホック等からなる係止手段3a、4aが設けられている。この係止手段3a、4aは、長さ調整用に設けるものであり、図示では２つにしてあるが、これに限定されるものではなく、必要に応じてさらに多くの数にすることもできる。
【００１６】
一方、前掛け部Fの下部には、前記一対の係止手段3a、4aが係合する他方の係止手段3b、3bが本体１の裏面側に設けられている。このため、図2に示すように前記たすき部T、Tを背面でクロスさせ、前記係止手段3a若しくは4aと、前記係止手段3b,3ｂとを係合させることにより乳幼児に着用させることができる。又、ホック等の係止手段３ｂ，３ｂは前掛け部Ｆの下部に設けてあるので、これらの係止手段が乳幼児の皮膚に直接接触することがなく、したがって、肌の弱い乳幼児に金属アレルギー等を生じさせるおそれもない。
【００１７】
図３は、食事用エプロン６を示す。この食事用エプロン６は、乳幼児に多い食事の際の食べこぼしを捕捉できるポケット部６ａを備えている。このポケット部６ａは表面側のみ若しくは表面側、裏面側の両方に設けてもよい。また、前記本体１に設けたループ片２に差し込まれる一対の取り付け部K，Ｋを有し、この取り付け部Ｋ，Ｋにはその先端部に係止手段７aと７bが設けてある。したがって、前記取り付け部Ｋ，Ｋをループ片２，２に差し込み、かつ、係脱させることによって本体１と食事用エプロン６との組み合わせが簡単にできる。
【００１８】
図４は、たすき部Tに設けたループ片２に図３の食事用エプロン６を取り付けた状態を示すものである。すなわち、食事用エプロン6の取り付け部Ｋ，Ｋの先端部をループ片２，２に差し込み、係止手段７ａ、７ｂを係合させて装着する。
【００１９】
図５は、ガーゼやハンカチ、キッチンペーパー等の替え布８を三角になるよう二つ折りにし、その端を図１のたすき部Tに設けたループ片２に差し込み使用する状態を示したものである。
【産業上の利用可能性】
【００２０】
ガーゼやハンカチは正方形のものを三角になるよう二つ折りにするが、初めから三角の形をした布から成るものも作ることができる。
なお、本実施では、本体部を布製としたが、替え布を利用することにより本体部は汚れないため、毛糸で編むなど素材は特に限定しないものとする。
又、本実施例の係止部材は、ホックに限らずボタンや面状テープに変えることもできる。
さらに、ループ片は、布、ひも、ゴム、リボン等を使うこともできる。
又、本考案のバッククロス型着せ替えよだれ掛けは、寝たきり老人等の着用にも有用なものとなる。
【図面の簡単な説明】
【００２１】
【図１】本考案のループ付きバッククロス型よだれ掛け本体の平面図である。
【図２】本考案のループ付きバッククロス型よだれ掛けを後ろから見た平面図である。
【図３】上記本体と組み合わせるポケットの付替えエプロンを示した平面図である。
【図４】上記替えエプロンを上記本体に組み合わせた状態の平面図である。
【図５】替え布を上記本体のループ片に通した状態の平面図である。
【図６】本考案のバッククロス型着せ替えよだれ掛けを乳幼児に着用させた状態の斜視図である。
【符号の説明】
【００２２】
Ｓ  バッククロス型よだれ掛け
Ｔ  たすき部
Ｆ  前掛け部
Ｋ  取り付け部
Ｎ  首掛け部
１  本体
２  ループ片
３  係止手段
４   係止手段 
５   縁飾り
６   替えエプロン
６ａポケット  
７  係止手段
８  替え布
【図１】
0003135617.tif 000003
【図２】
0003135617.tif 000004
【図３】
0003135617.tif 000005
【図４】
0003135617.tif 000006
【図５】
0003135617.tif 000007
【図６】
0003135617.tif 000008